(57)【要約】      （修正有）【課題】物品を安定的に保持することができる物品包装用シートを提供する。【解決手段】本考案に係る物品包装用シート１は、略矩形状の底面板２と、底面板２の第１の側縁１１側から延出し、底面板２の上側に折り返される略矩形状の物品被覆部６、及びこの物品被覆部６の延出方向の先端縁側から延出し、物品被覆部６及び底面板２の間に折り返される略矩形状の物品支持部７を有する緩衝板３と、底面板２の第１の側縁１１の両端に隣接する第２の側縁１２及び第３の側縁１３から延出し、物品被覆部６の上側に折り重ねられて互いに連結される一対の折り返し板４，５とを備え、物品被覆部６及び物品支持部７が、延出方向と垂直な方向の両側縁部に第１の側縁１１と平行に伸びる複数のスリット２１，２２を有する。【選択図】図１
0003206803.tif 000002
【実用新案登録請求の範囲】
【請求項１】
略矩形状の底面板と、
上記底面板の第１の側縁側から延出し、上記底面板の上側に折り返される略矩形状の物品被覆部、及びこの物品被覆部の延出方向の先端縁側から延出し、上記物品被覆部及び底面板の間に折り返される略矩形状の物品支持部を有する緩衝板と、
上記底面板の上記第１の側縁の両端に隣接する第２の側縁及び第３の側縁から延出し、上記物品被覆部の上側に折り重ねられて互いに連結される一対の折り返し板と
を備え、
上記物品被覆部及び物品支持部が、延出方向と垂直な方向の両側縁部に第１の側縁と平行に伸びる複数のスリットを有する物品包装用シート。
【請求項２】
上記緩衝板が、上記第１の側縁及び上記物品被覆部の基端側の端縁間に介設される第１接続部と、上記物品被覆部の先端側の端縁及び上記物品支持部の基端側の端縁間に介設される第２接続部とを有し、
一方の上記折り返し板が、上記第２の側縁から延出する第１側面部と、この第１側面部の先端側の端縁から延出し、上記物品被覆部の上側に折り重ねられる天面部と、この天面部の先端側の端縁から突出する係止片とを有し、
他方の上記折り返し板が、上記第３の側縁から延出する第２側面部と、この第２側面部の先端側の端縁から延出し、上記天面部の下側に折り重ねられる補強部と、上記第２側面部及び補強部の連接部に形成され、上記係止片が挿入される係止用スリットとを有する請求項１に記載の物品包装用シート。
【請求項３】
上記他方の折り返し板が、上記係止用スリットを画定する第２側面部の先端縁から延出し、上記天面部の外側に折り重ねられる突片をさらに有する請求項２に記載の物品包装用シート。
【請求項４】
上記複数のスリットによって上記物品被覆部の両側縁部に画定される一対の第１スリット形成領域、及び上記複数のスリットによって上記物品支持部の両側縁部に画定される一対の第２スリット形成領域を有し、
上記第１スリット形成領域の上記第１の側縁と平行方向における平均長さが、上記第２スリット形成領域の上記第１の側縁と平行方向における平均長さよりも大きい請求項１、請求項２又は請求項３に記載の物品包装用シート。
【請求項５】
上記物品被覆部における複数のスリットが、側縁に開放する複数の第１スリットと、第１スリットよりも内側にオフセットされ、側縁に開放しない複数の第２スリットとを有し、上記第１スリット及び第２スリットが上記物品被覆部の延出方向に交互に配設されている請求項１から請求項４のいずれか１項に記載の物品包装用シート。
【考案の詳細な説明】
【技術分野】
【０００１】
本考案は、物品包装用シートに関する。
【背景技術】
【０００２】
段ボールシートを組み立ててなる包装容器が物品の保管用、運搬用等として広く用いられている。この包装容器としては、内部で物品を安定的に保持するための支持部材を備えるものも提案されている。このような支持部材として例えば「段ボール挟み梱包材」（特開２０１３−１８５１８号公報参照）が発案されている。
【０００３】
この梱包材は、波形状に形成された中芯が片面に露出した段ボールシートからなり、中芯が対向するように２つ折りにすることで支持部材として形成される。この梱包材は、中芯の山部に複数の切断線が形成されており、物品を中芯間に挟んだ際に中芯の物品に当接する部分が潰れることで、物品を安定的に挟持できるとされている。
【先行技術文献】
【特許文献】
【０００４】
【特許文献１】特開２０１３−１８５１８号公報
【考案の概要】
【考案が解決しようとする課題】
【０００５】
しかしながら、上記公報に記載の梱包材は、物品と当接する部分の中芯が潰れた状態で物品を挟持するものであるため、物品と当接する部分の緩衝機能が低下し、物品保護機能が低下する。また、この梱包材としては、物品の保護機能の低下を図るべく２段以上の段ボールシートを用いることもできるが、この場合段ボールシートを折り曲げた状態での反力が大きくなり、物品を挟持し難くなる。そのため、この梱包材は、物品を安定的に保持することができない。
【０００６】
本考案は、このような不都合に鑑みてなされたものであり、物品を安定的に保持することができる物品包装用シートの提供を目的とするものである。
【課題を解決するための手段】
【０００７】
上記課題を解決するためになされた本考案に係る物品包装用シートは、略矩形状の底面板と、上記底面板の第１の側縁側から延出し、上記底面板の上側に折り返される略矩形状の物品被覆部、及びこの物品被覆部の延出方向の先端縁側から延出し、上記物品被覆部及び底面板の間に折り返される略矩形状の物品支持部を有する緩衝板と、上記底面板の上記第１の側縁の両端に隣接する第２の側縁及び第３の側縁から延出し、上記物品被覆部の上側に折り重ねられて互いに連結される一対の折り返し板とを備え、上記物品被覆部及び物品支持部が、延出方向と垂直な方向の両側縁部に第１の側縁と平行に伸びる複数のスリットを有する。
【０００８】
当該物品包装用シートは、物品被覆部及び物品支持部によって物品を挟持した状態で、底面板によって物品支持部を下方から支持し、かつ物品被覆部の上側に一対の折り返し板が重ねられるので、物品を上下方向から的確に支持することができる。また、当該物品包装用シートは、上記一対の折り返し板が物品被覆部及び物品支持部の間に形成される空隙を外側から封止するので、物品が左右方向から抜け落ちることがない。さらに、当該物品包装用シートは、上記物品被覆部及び物品支持部が、延出方向と垂直な方向の両側縁部に第１の側縁と平行に伸びる複数のスリットを有するので、複数のスリット間の各部が個々に折れ曲がることで、上記物品被覆部及び物品支持部の両側縁部を物品の外形に追従させ易く、包装状態における物品のぐらつきを抑えることができる。従って、当該物品包装用シートは、物品を安定的に保持することができる。
【０００９】
上記緩衝板が、上記第１の側縁及び上記物品被覆部の基端側の端縁間に介設される第１接続部と、上記物品被覆部の先端側の端縁及び上記物品支持部の基端側の端縁間に介設される第２接続部とを有し、一方の上記折り返し板が、上記第２の側縁から延出する第１側面部と、この第１側面部の先端側の端縁から延出し、上記物品被覆部の上側に折り重ねられる天面部と、この天面部の先端側の端縁から突出する係止片とを有し、他方の上記折り返し板が、上記第３の側縁から延出する第２側面部と、この第２側面部の先端側の端縁から延出し、上記天面部の下側に折り重ねられる補強部と、上記第２側面部及び補強部の連接部に形成され、上記係止片が挿入される係止用スリットとを有するとよい。これにより、高さの大きい物品を比較的容易に収容することができる。
【００１０】
上記他方の折り返し板が、上記係止用スリットを画定する第２側面部の先端縁から延出し、上記天面部の外側に折り重ねられる突片をさらに有するとよい。このように、上記他方の折り返し板が、上記係止用スリットを画定する第２側面部の先端縁から延出し、上記天面部の外側に折り重ねられる突片を有することによって、上記係止片を係止用スリットに挿入し、上記突片を天面部の外側に折り重ねた状態で、この突片及び天面部を含む領域に送り状等を貼ることで当該物品包装用シートを組み立ててなる包装容器を封函することができる。また、この送り状等を天面部から剥がすと上記突片が送り状等に貼着された状態で同時に持ち上げられるので、包装容器の展開作業を容易に行うことができる。
【００１１】
上記複数のスリットによって上記物品被覆部の両側縁部に画定される一対の第１スリット形成領域、及び上記複数のスリットによって上記物品支持部の両側縁部に画定される一対の第２スリット形成領域を有し、上記第１スリット形成領域の上記第１の側縁と平行方向における平均長さが、上記第２スリット形成領域の上記第１の側縁と平行方向における平均長さよりも大きいとよい。このように、上記第１スリット形成領域の上記第１の側縁と平行方向における平均長さが、上記第２スリット形成領域の上記第１の側縁と平行方向における平均長さよりも大きいことによって、物品の上方を被覆する物品被覆部の物品の外形に対する追従性が、物品の下方を支持する物品支持部の追従性よりも大きくなる。そのため、上記底面板及び物品支持部によって物品を下方から的確に支持しつつ、物品の外形に対応して物品被覆部を物品の上方に被覆させることができ、これにより物品をより安定的に保持することができる。
【００１２】
上記物品被覆部における複数のスリットが、側縁に開放する複数の第１スリットと、第１スリットよりも内側にオフセットされ、側縁に開放しない複数の第２スリットとを有し、上記第１スリット及び第２スリットが上記物品被覆部の延出方向に交互に配設されているとよい。このように、上記物品被覆部における複数のスリットが、側縁に開放する複数の第１スリットと、第１スリットよりも内側にオフセットされ、側縁に開放しない複数の第２スリットとを有し、上記第１スリット及び第２スリットが上記物品被覆部の延出方向に交互に配設されていることによって、上記物品被覆部の両側縁部の物品への追従性を向上させることができ、これにより物品をより安定的に保持することができる。また、上記物品被覆部が側縁に開放する複数の第１スリットを有することによって、物品被覆部の複数の第１スリット間の各部を個々に下方に湾曲させることができ、これにより物品被覆部及び物品支持部の側縁部間に形成される開口を小さくすることができる。そのため、物品が第１の側縁と平行方向にぐらつくことをさらに抑制することができると共に、一対の折り返し板の連結容易化を促進することができる。
【００１３】
なお、本考案において「上」とは、典型的な使用状態において物品包装用シートを組み立てた状態における「上」を意味し、「下」とは、その逆を意味する。
【考案の効果】
【００１４】
以上説明したように、本考案に係る物品包装用シートは、物品を安定的に保持することができる。
【図面の簡単な説明】
【００１５】
【図１】本考案の一実施形態に係る物品包装用シートを示す模式的平面図である。
【図２】図１の物品包装用シートによる物品の包装の一手順を示す模式的平面図である。
【図３】図２の包装手順の次の手順を示す模式的部分平面図である。
【図４】図３における包装体の模式的部分側面図である。
【図５】図３の包装手順の次の手順を示す模式的平面図である。
【図６】図５の包装手順の次の手順を示す模式的平面図である。
【図７】図１の物品包装用シートとは異なる実施形態に係る物品包装用シートを示す模式的平面図である。
【考案を実施するための形態】
【００１６】
以下、適宜図面を参照しつつ、本考案の実施の形態を詳説する。
【００１７】
［第一実施形態］
＜物品包装用シート＞
図１の物品包装用シート１は、１枚の段ボールシートからなる。当該物品包装用シート１は、略矩形状の底面板２と、底面板２の第１の側縁１１から延出する緩衝板３と、底面板２の第１の側縁１１の両端に隣接する第２の側縁１２及び第３の側縁１３から延出し、物品被覆部６の上側に折り重ねられて互いに連結される一対の降り返し板（第１折り返し板４及び第２折り返し板５）とを備える。
【００１８】
当該物品包装用シート１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００１９】
（底面板）
底面板２は、第１の側縁１１及び第１の側縁１１に対向する第４の側縁２０の長さが、第２の側縁１２及び第３の側縁１３の長さよりも大きい略矩形状である。第１の側縁１１及び第４の側縁２０の長さとしては、特に限定されないが、例えば１５ｃｍ以上４０ｃｍ以下程度とすることができる。また、第２の側縁１２及び第３の側縁１３の長さとしては、特に限定されないが、例えば１０ｃｍ以上３０ｃｍ以下程度とすることができる。
【００２０】
（緩衝板）
緩衝板３は、底面板２の上側に折り返される略矩形状の物品被覆部６と、物品被覆部６の延出方向の先端側から延出し、物品被覆部６及び底面板２の間に折り返される略矩形状の物品支持部７と、第１の側縁１１及び物品被覆部６の基端側の端縁間に介設される第１接続部８と、物品被覆部６の先端側の端縁及び物品支持部７の基端側の端縁間に介設される第２接続部９とを有する。つまり、緩衝板３は、第１の側縁１１側から延出方向に第１接続部８、物品被覆部６、第２接続部９及び物品支持部７がこの順で連接された構成とされる。物品被覆部６及び物品支持部７は、延出方向と垂直な方向（以下、延出方向と垂直な方向を「幅方向」ともいう）の両側縁部に第１の側縁１１と平行に伸びる複数のスリット２１，２２を有する。第１の側縁１１と第１接続部８との連接部、第１接続部８と物品被覆部６との連接部、物品被覆部６と第２接続部９との連接部、及び第２接続部９と物品支持部７との連接部にはそれぞれ折り曲げ容易線が形成されている。これらの折り曲げ容易線は、１又は複数のスリットと、シート材の一方側面（物品包装時に内側に位置する側の面）を筋押しして形成される１又は複数の罫線とが交互に一列に接続されることで形成されるリード罫線であることが好ましい。上記折り曲げ容易線をリード罫線とすることによって、緩衝板３を無理なく折り曲げることができるので、比較的大きな物品を収容した場合でも当該物品包装用シート１を組み立ててなる包装容器の形崩れを抑制することができる。
【００２１】
〈物品被覆部〉
物品被覆部６は、底面板２の上側全面に重なるよう底面板２と略同一の外形を有する。また、物品被覆部６は、後述する係止用スリット１９に係止片１６を挿入した際に形成片１９の挿入を妨げないよう、第３の側縁１３側の端縁が第３の側縁１３よりも段ボールシート１枚の厚さ分程度内側に配設されている。物品被覆部６は、複数のスリット２２として、一端が側縁に開放する複数の第１スリット２２ａと、複数の第１スリット２２ａよりも内側にオフセットされ、側縁に開放しない複数の第２スリット２２ｂとを有し、第１スリット２２ａ及び第２スリット２２ｂが延出方向に交互に配設されている。具体的には、本実施形態においては、物品被覆部６の延出方向両端側に一対の第１スリット２２ａが配設され、この両端の一対の第１スリット２２ａ間に複数の第２スリット２２ｂ及び複数の第１スリット２２ａが交互に配設されている。これにより、当該物品包装用シート１は、物品被覆部６の両側縁部の物品への追従性を向上させて、物品をより安定的に保持することができる。また、当該物品包装用シート１は、物品被覆部６が側縁に開放する複数の第１スリット２２ａを有することによって、物品被覆部６の複数の第１スリット２２ａ間の各部を個々に下方に湾曲させることができ、これにより物品被覆部６及び物品支持部７の側縁部間に形成される開口を小さくすることができる。そのため、当該物品包装用シート１は、物品が第１の側縁１１と平行方向にぐらつくことをさらに抑制することができる。加えて、当該物品包装用シート１は、物品被覆部６の複数の第１スリット２２ａ間の各部を個々に下方に湾曲させることで、物品被覆部６の両側縁部の上下方向位置を低くすることができ、これにより一対の折り返し板４，５の連結容易化を促進することができる。
【００２２】
複数の第１スリット２２ａは、物品被覆部６の延出方向の両端に亘って略等間隔で配設されている。複数の第１スリット２２ａは、全て長さが等しくてもよく、延出方向の一端側又は両端側に配設されるスリットの長さが延出方向中央に位置するスリットの長さより短くてもよい。当該物品包装用シート１にあっては、通常物品は物品被覆部６の延出方向中央位置に収容される。そのため、当該物品包装用シート１は、物品被覆部６の延出方向の一端側又は両端側に配設されるスリットの長さを延出方向中央に位置するスリットの長さより短くすることで、物品に対する高い追従性が求められる部分の物品追従機能を相対的に高めることができ、これにより物品をより安定的に保持し易い。
【００２３】
複数の第１スリット２２ａの平均長さの下限としては、１ｃｍが好ましく、３ｃｍがより好ましい。一方、複数の第１スリット２２ａの平均長さの上限としては、８ｃｍが好ましく、６ｃｍがより好ましい。上記平均長さが上記下限に満たないと、物品被覆部６の両側縁部を物品の外形に追従させ難くなるおそれがある。逆に、上記平均長さが上記上限を超えると、物品被覆部６の強度が不十分となり、物品被覆部６による物品の保護機能が低下するおそれがある。
【００２４】
物品被覆部６の幅方向の平均長さに対する複数の第１スリット２２ａの平均長さの比の下限としては、０．１が好ましく、０．１５がより好ましい。一方、上記比の上限としては、０．３が好ましく、０．２がより好ましい。上記比が上記下限に満たないと、物品被覆部６の両側縁部を物品の外形に追従させ難くなるおそれがある。逆に、上記比が上記上限を超えると、物品被覆部６の強度が不十分となり、物品被覆部６による物品の保護機能が低下するおそれがある。
【００２５】
物品被覆部６の延出方向長さに対する複数の第１スリット２２ａの平均間隔の比の下限としては、０．０１が好ましく、０．０５がより好ましい。一方、上記比の上限としては、０．２が好ましく、０．１５がより好ましい。上記比が上記下限に満たないと、第１スリット２２ａの数が不要に多くなり、物品被覆部６による物品の保護機能が低下するおそれがある。逆に、上記比が上記上限を超えると、第１スリット２２ａの数が不十分となり、物品被覆部６の両側縁部を物品の外形に追従させ難くなるおそれがある。
【００２６】
複数の第２スリット２２ｂは、物品被覆部６の延出方向において隣接する第１スリット２２ａの中間位置に配設されている。全ての第２スリット２２ｂは、長さが略等しいことが好ましい。複数の第２スリット２２ｂの平均長さとしては、複数の第１スリット２２ａの平均長さと同様とすることができる。
【００２７】
複数の第１スリット２２ａの平均長さに対する複数の第２スリット２２ｂの平均オフセット距離（複数の第２スリット２２ｂの外側の端部と物品被覆部６の側縁との平均距離）の比の下限としては、０．２が好ましく、０．３がより好ましい。一方上記比の上限としては、０．８が好ましく、０．６がより好ましい。上記比が上記下限に満たないと、物品被覆部６の延出方向において複数の第１スリット２２ａ及び複数の第２スリット２２ｂが重なる領域が大きくなり、この重なる領域にける物品被覆部６の強度が不十分となるおそれがある。逆に、上記比が上記上限を超えると、物品被覆部６の両側縁部の物品追従機能を十分に向上できないおそれがある。
【００２８】
物品被覆部６は、複数のスリット２２（複数の第１スリット２２ａ及び複数の第２スリット２２ｂ）によって両側縁部に画定される一対の第１スリット形成領域２３を有する。本実施形態において、複数のスリット２２は、物品被覆部６の幅方向の中心線を基準として対称に形成されている。そのため、一対の第１スリット形成領域２３の第１の側縁１１と平行方向における平均長さ（物品被覆部６の側縁からこの側縁側に配設される複数の第２スリット２２ｂの内側の端部との平均距離）は等しい。
【００２９】
物品被覆部６の幅方向の平均長さに対する各第１スリット形成領域２３の第１の側縁１１と平行方向における平均長さの比の下限としては、０．１５が好ましく、０．２がより好ましい。一方、上記比の上限としては、０．４が好ましく、０．３がより好ましい。上記比が上記下限に満たないと、物品被覆部６の両側縁部を物品の外形に追従させ難くなるおそれがある。逆に、上記比が上記上限を超えると、物品被覆部６による物品の保護機能が低下するおそれがある。
【００３０】
〈物品支持部〉
物品支持部７は、底面板２の上側全面に重なるよう底面板２と略同一の外形を有する。また、物品支持部７は、係止用スリット１９に係止片１６を挿入した際に形成片１９の挿入を妨げないよう、第３の側縁１３側の端縁が第３の側縁１３よりも段ボールシート１枚の厚さ分程度内側に配設されている。物品支持部７の複数のスリット２１は、一端が側縁に開放されている。当該物品包装用シート１は、複数のスリット２１の一端が側縁に開放していることによって、物品支持部７の複数のスリット２１間の各部を個々に上方に湾曲させることができ、これにより物品被覆部６及び物品支持部７の側縁部間に形成される開口を小さくすることができる。そのため、物品が第１の側縁１１と平行方向にぐらつくことをさらに抑制することができる。複数のスリット２１は、物品支持部７の延出方向の両端に亘って略等間隔で配設されている。複数のスリット２１は長さが略等しい。
【００３１】
当該物品包装用シート１において、物品支持部７は底面板２の上側に重ねられて底面板２と共に物品を下方から支持する。このように、物品支持部７は、物品を載置する載置台として機能するため、一般に物品被覆部６と同様の物品追従性は必要とされない。そのため、物品支持部７の複数のスリット２１の平均長さは、物品被覆部６の複数の第１スリット２２ａよりも短くてよい。
【００３２】
複数のスリット２１の平均長さの下限としては、１ｃｍが好ましく、１．５ｃｍがより好ましい。一方、複数のスリット２１の平均長さの上限としては、５ｃｍが好ましく、４ｃｍがより好ましい。上記平均長さが上記下限に満たないと、物品支持部７の両側縁部の物品追従機能を十分に向上できないおそれがある。逆に、上記平均長さが上記上限を超えると、物品を下方から十分に支持し難くなるおそれがある。
【００３３】
複数の第１スリット２２ａの平均長さに対する複数のスリット２１の平均長さの比の下限としては、０．３が好ましく、０．４がより好ましい。一方、上記比の上限としては、０．７が好ましく、０．５がより好ましい。上記比が上記下限に満たないと、物品支持部７の両側縁部の物品追従機能を十分に向上できないおそれがある。逆に、上記比が上記上限を超えると、物品支持部７により物品を下方から十分に支持し難くなるおそれがある。
【００３４】
物品支持部７の複数のスリット２１の平均間隔としては、物品被覆部６の複数の第１スリット２２ａの平均間隔と同様とすることができる。
【００３５】
物品支持部７は、複数のスリット２１によって両端縁側に画定される一対の第２スリット形成領域２４を有する。本実施形態において、複数のスリット２１は、物品支持部７の幅方向の中心線を基準として対称に形成されている。そのため、一対の第２スリット形成領域２４の第１の側縁１１と平行方向における平均長さ（物品支持部７の側縁からこの側縁側に配設される複数のスリット２１の内側の端部との平均距離）は等しい。また、各第２スリット形成領域２４における上記平均長さは、複数のスリット２１の平均長さと等しい。
【００３６】
第１スリット形成領域２３の第１の側縁１１と平行方向における平均長さは、第２スリット形成領域２４の第１の側縁１１と平行方向における平均長さよりも大きい。これにより、当該物品包装用シート１は、物品の上方を被覆する物品被覆部６の物品の外形に対する追従性が、物品の下方を支持する物品支持部７の追従性よりも大きくなる。そのため、当該物品包装用シート１は、底面板２及び物品支持部７によって物品を下方から的確に支持しつつ、物品の外形に対応して物品被覆部６を物品の上方に被覆させることができ、これにより物品をより安定的に保持することができる。
【００３７】
〈接続部〉
第１接続部８及び第２接続部９は略同形の矩形状に形成されている。また、第１接続部８及び第２接続部９の幅方向長さは第１の側縁１１の長さと略等しい。第１接続部８及び第２接続部９の延出方向長さは、底面板２の第１の側縁１１の長さ及び第２の側縁１２の長さよりも小さい。第１接続部８及び第２接続部９の延出方向長さとしては、例えば１ｃｍ以上１０ｃｍ以下とすることができる。
【００３８】
（第１折り返し板）
第１折り返し板４は、第２の側縁１２から延出する第１側面部１４と、第１側面部１４の先端側の端縁から延出し、物品被覆部６の上側に折り重ねられる天面部１５と、天面部１５の先端側の端縁から突出する係止片１６とを有する。第２の側縁１２と第１側面部１４との連接部、第１側面部１４と天面部１５との連接部、及び天面部１５と係止片１６との連接部にはそれぞれ折り曲げ容易線が形成されている。これらの折り曲げ容易線は、１又は複数のスリットと、シート材の一方側面（物品包装時に内側に位置する側の面）を筋押しして形成される１又は複数の罫線とが交互に一列に接続されることで形成されるリード罫線であることが好ましい。上記折り曲げ容易線をリード罫線とすることによって、第１折り返し板４を無理なく折り曲げることができるので、比較的大きな物品を収容した場合でも当該物品包装用シート１を組み立ててなる包装容器の形崩れを抑制することができる。
【００３９】
〈第１側面部〉
第１側面部１４は略矩形状に形成されている。第１側面部１４の幅方向長さは第２の側縁１２の長さと等しい。第１側面部１４の延出方向長さは第１接続部８及び第２接続部９の延出方向長さよりも大きい。第１側面部１４の延出方向長さと第１接続部８及び第２接続部９の延出方向長さとの差の下限としては、１ｍｍが好ましく、２ｍｍがより好ましい。一方、上記長さの差の上限としては、１０ｍｍが好ましく、５ｍｍがより好ましい。上記長さの差が上記下限に満たないと、第１接続部８及び第２接続部９の延出方向長さよりも高さの大きい物品を収容した場合に、天面部１５を略水平に保ち難くなり、係止片１６と係止用スリット１９とを係合し難くなるおそれがある。逆に、上記長さの差が上記上限を超えると、物品を収容した状態で物品被覆部６と天面部１５との間に比較的大きい空隙が生じ、包装容器が不安定になると共に、物品の保護機能が低下するおそれがある。
【００４０】
〈天面部〉
天面部１５は、略矩形状に形成されている。天面部１５は、スリットが形成されていない。天面部１５は、平面視で底面板２の上側全面に重なるよう底面板２と略同一の外形を有する。
【００４１】
〈係止片〉
係止片１６は、天面部１５の幅方向の中央部分から延出している。係止片１６の延出方向長さは、第１側面部１４の延出方向長さ以下であり、係止用スリット１９と確実に係合する点から第１側面部１４の延出方向長さと略等しいことが好ましい。
【００４２】
（第２折り返し板）
第２折り返し板５は、第３の側縁１３から延出する第２側面部１７と、第２側面部１７の先端側から延出し、天面部１５の下側に折り重ねられる補強部１８と、第２側面部１７及び補強部１８の連接部に形成され、係止片１６が挿入される係止用スリット１９とを有する。また、第２折り返し板５は、係止用スリット１９を画定する第２側面部１７の先端縁から延出し、天面部１５の外側に折り重ねられる突片２５を有する。第３の側縁１３と第２側面部１７との連接部、第２側面部１７と補強部１８との連接部、及び第２側面部１７と突片２５との連接部にはそれぞれ折り曲げ容易線が形成されている。第３の側縁１３と第２側面部１７との連接部に形成される折り曲げ容易線は、１又は複数のスリットと、シート材の一方側面（物品包装時に内側に位置する側の面）を筋押しして形成される１又は複数の罫線とが交互に一列に接続されることで形成されるリード罫線であることが好ましい。上記折り曲げ容易線をリード罫線とすることによって、第２の側面部１７を無理なく折り曲げることができるので、比較的大きな物品を収容した場合でも当該物品包装用シート１を組み立ててなる包装容器の形崩れを抑制することができる。
【００４３】
〈第２側面部〉
第２側面部１７は略矩形状に形成されている。第２側面部１７は、上述の第１側面部１４と略同一形状を有する。
【００４４】
〈補強部〉
補強部１８は、半円状に形成されている。補強部１８の延出方向の最大長さとしては、上述の第１スリット形成領域２３の第１の側縁１１と平行方向における平均長さよりも大きいことが好ましい。補強部１８の延出方向の最大長さが第１スリット形成領域２３の第１の側縁１１と平行方向における平均長さよりも大きいことによって、比較的強度が弱くなり易い第１スリット形成領域２３の上側を補強部１８によって補強することができる。
【００４５】
〈係止用スリット〉
係止用スリット１９は、第２側面部１７を底面板２に対して略直角に折り曲げ、さらに補強部１８を底面部２と略平行に折り曲げた状態で第２側面部１７及び補強部１８の連接部分に形成される。係止用スリット１９は、第２側面部１７及び補強部１８の幅方向の中央部分に形成される。具体的には、第２側面部１７及び補強部１８の連接部分には、第２側面部１７の延出方向側の先端縁から延出方向に突出する突片２５を画定するためのコ字状スリット及びこのコ字状スリットの両端から幅方向外側に伸びる一対の直線状スリットが形成されており、補強部１８を第２側面部１７に対して略直角に折り曲げた状態で上記一対の直線状スリット及びこれら一対の直線状スリットを結ぶ中空部分が係止用スリット１９として形成される。係止用スリット１９の長さは係止片１６の幅以上であり、係止片１６の幅と略等しいことが好ましい。
【００４６】
〈突片〉
突片２５は、上述のように第２側面部１７及び補強部１８の連接部から延出方向側に突出するコ字状スリットによって画定される。当該物品包装用シート１は、第２折り返し板５が突片２５を有することによって、係止片１６を係止用スリット１９に挿入し、突片２５を天面部１５の外側に折り重ねた状態で、この突片２５及び天面部１５を含む領域に送り状等を貼ることで包装容器を封函することができる。また、この送り状等を天面部１５から剥がすと突片２５が送り状等に貼着された状態で同時に持ち上げられるので、包装容器の展開作業を容易に行うことができる。
【００４７】
＜包装手順＞
次に、図２〜図６を参照して、当該物品包装用シート１による包装手順を説明する。
【００４８】
まず、図２に示すように、当該物品包装用シート１が展開された状態で、物品被覆部６の内面（包装容器に組み立てられた状態において内側に位置する面）の中央部分に物品Ｘを載置する。
【００４９】
次に、物品被覆部６の内面側に第２接続部９を略直角に折り曲げ、さらに物品支持部７を物品Ｘに重ねるように第２接続部９の内面側に略直角に折り曲げる。そして、物品被覆部６及び物品支持部７によって物品Ｘを挟持した状態で、第１接続部８及び物品被覆部６を内面側に折り曲げることで、図３に示すように、物品支持部７を底面板２の上面に重ね合わせる。この際、物品被覆部６の物品Ｘと当接している中央部分の高さは物品Ｘの高さによって規制される。一方、物品被覆部６の両側縁部には複数のスリット２２が形成されているので、複数のスリット２２間の各部が個々に折れ曲がることで、物品被覆部６の両側縁部を物品Ｘの外形に追従させることができる。また、当該物品包装用シート１は、物品被覆部６が、側縁に開放する複数の第１スリット２２ａを有するので、図４に示すように、複数の第１スリット２２ａによって区画される各部を個々に下方に湾曲することで、物品被覆部６及び物品支持部７の側縁部間に形成される開口を小さくすることができる。
【００５０】
続いて、第２折り返し板５の補強部１８及び第１折り返し板４の天面部１５をこの順で物品被覆部６の上側に折り重ね、第１折り返し板４の係止片１６を第２折り返し板５の係止用スリット１９に挿入する。そして、図５に示すように、第２折り返し板５の突片２５を天面部１５の外側に折り重ねる。これにより、当該物品包装シート１から包装容器３１が組み立てられる。
【００５１】
さらに、図６に示すように、突片２５及び天面部１５を含む領域に送り状Ｙを貼ることで、包装容器３１が封函される。
【００５２】
＜利点＞
当該物品包装用シート１は、物品被覆部６及び物品支持部７によって物品Ｘを挟持した状態で、底面板２によって物品支持部７を下方から支持し、かつ物品被覆部６の上側に一対の折り返し板４，５が重ねられるので、物品Ｘを上下方向から的確に支持することができる。また、当該物品包装用シート１は、一対の折り返し板４，５が物品被覆部６及び物品支持部７の間に形成される空隙を外側から封止するので、物品Ｘが左右方向から抜け落ちることがない。さらに、当該物品包装用シート１は、物品被覆部６及び物品支持部７が、延出方向と垂直な方向の両側縁部に第１の側縁１１と平行に伸びる複数のスリット２１，２２を有するので、複数のスリット２１，２２間の各部が個々に折れ曲がることで、物品被覆部６及び物品支持部７の両側縁部を物品Ｘの外形に追従させ易く、包装状態における物品Ｘのぐらつきを抑えることができる。従って、当該物品包装用シート１は、物品Ｘを安定的に保持することができる。
【００５３】
当該物品包装用シート１は、緩衝板３が、第１の側縁１１及び物品被覆部６の基端側の端縁間に介設される第１接続部８と、物品被覆部６の先端側の端縁及び物品支持部７の基端側の端縁間に介設される第２接続部９とを有し、上記第１折り返し板４が、第２の側縁１２から延出する第１側面部１４と、第１側面部１４の先端側の端縁から延出し、物品被覆部６の上側に折り重ねられる天面部１５と、天面部１５の先端側の端縁から突出する係止片１６とを有し、第２折り返し板５が、第３の側縁１３から延出する第２側面部１７と、第２側面部１７の先端側の端縁から延出し、天面部１５の下側に折り重ねられる補強部１８と、第２側面部１７及び補強部１８の連接部に形成され、係止片１６が挿入される係止用スリット１９とを有するので、高さの大きい物品を比較的容易に収容することができる。
【００５４】
［その他の実施形態］
なお、本考案に係る物品包装用シートは、上記態様の他、種々の変更、改良を施した態様で実施することができる。例えば当該物品包装用シートは、上記緩衝板が、第１の側縁及び物品被覆部の基端側の端縁間に介設される第１接続部、並びに物品被覆部の先端側の端縁及び物品支持部の基端側の端縁間に介設される第２接続部を有していなくてもよい。また、当該物品包装用シートは、上記一対の折り返し板が、第２の側縁から延出する第１側面部及び第３の側縁から延出する第２側面部を有していなくてもよい。さらに、一対の折り返し板の係合機構は特に限定されるものではない。第１接続部、第２接続部、第１側面部及び第２側面部を有しない具体的構成を図７に示す。
【００５５】
図７の物品包装用シート４１は、底面板４２と、底面板４２の第１の側縁５１から延出する緩衝板４３と、底面板４２の第２の側縁５２から延出する第１折り返し板４４と、底面板４２の第３の側縁５３から延出する第２折り返し板４５とを備える。緩衝板４３は、第１の側縁５１から延出する物品被覆部４６と、物品被覆部４６の先端側の端縁から延出する物品支持部４７とから構成される。物品被覆部４６及び物品支持部４７の幅方向の両端には、互いに折り重ねられた状態で重なる位置に外側に突出する突片５４，５５が形成されている。第１折り返し板４４は、延出方向の先端に凹部を有する。また、第２折り返し板４５は、延出方向の先端にこの凹部と係合可能な凸部を有する。さらに、第２の側縁５２と第１折り返し板４４との連接部、及び第３の側縁５３と第２折り返し板４５との連接部には、組立状態で突片５４，５５が挿入される一対の係止用スリット５６，５７が形成されている。当該物品包装用シート４１は、物品被覆部４６及び物品支持部４７の幅方向の両側に形成される突片５４，５５の先端間の距離が一対の係止用スリット５６，５７間の距離よりも大きい。これにより、当該物品包装用シート４１は、組立状態で、緩衝板４３を底面板４２と第１折り返し板４４及び第２折り返し板４５との間に確実に保持することができる。
【００５６】
図７の物品包装用シート４１は、物品被覆部４６及び物品支持部４７が両側縁部に各一対のスリット形成領域を有していない。当該物品包装用シート４１は、物品被覆部４６及び物品支持部４７の全領域に亘って第１の側縁５１と平行に伸びる複数のスリット５８，５９が千鳥状に設けられている。さらに、当該物品包装用シート４１は、１のスリットの両端部から、この１のスリットの伸長方向と直交する方向に隣接する他のスリットに伸びる複数の第１折り曲げ容易線６０，６１、及び１のスリットの中心部から、この１のスリットに並列する他のスリットに向けて伸びる複数の第２折り曲げ容易線６２，６３を有する。当該物品包装用シート４１は、複数の第１折り曲げ容易線６０，６１及び複数の第２折り曲げ容易線６２，６３を有することによって、物品被覆部４６及び物品支持部４７を物品の外形により追従させ易く、包装容器内での物品のぐらつきをより抑えることができる。
【００５７】
また、当該物品包装用シートは、第２折り返し板が第２側面部及び補強部を有する場合でも、第１折り返し板の天面部の外側に折り重ねられる突片を有しなくてもよい。
【００５８】
当該物品包装用シートは、物品被覆部の両側縁部に一対の第１スリット形成領域を有し、物品支持部の両側縁部に一対の第２スリット形成領域を有する場合でも、第１スリット形成領域の第１の側縁と平行方向における平均長さが、第２スリット形成領域の第１の側縁と平行方向における平均長さよりも大きくなくてもよい。
【００５９】
上記物品被覆部及び物品支持部は、必ずしも側縁に開放するスリットを有しなくてもよい。また、物品被覆部は、側縁に開放するスリットのみを有していてもよい。
【産業上の利用可能性】
【００６０】
以上のように、本考案の物品包装用シートは、物品を安定的に保持することができるので、物品運搬用に適している。
【符号の説明】
【００６１】
１，４１  物品包装用シート
２，４２  底面板
３，４３  緩衝板
４，４４  第１折り返し板
５，４５  第２折り返し板
６，４６  物品被覆部
７，４７  物品支持部
８  第１接続部
９  第２接続部
１１，５１  第１の側縁
１２，５２  第２の側縁
１３，５３  第３の側縁
１４  第１側面部
１５  天面部
１６  係止片
１７  第２側面部
１８  補強部
１９，５６，５７  係止用スリット
２０  第４の側縁
２１，２２，５８，５９  スリット
２２ａ  第１スリット
２２ｂ  第２スリット
２３  第１スリット形成領域
２４  第２スリット形成領域
２５  突片
３１  包装容器
５４，５５  突片
６０〜６３  折り曲げ容易線
Ｘ  物品
Ｙ  送り状
【図１】
0003206803.tif 000003
【図２】
0003206803.tif 000004
【図３】
0003206803.tif 000005
【図４】
0003206803.tif 000006
【図５】
0003206803.tif 000007
【図６】
0003206803.tif 000008
【図７】
0003206803.tif 000009